(57)【特許請求の範囲】
【請求項１】
直管形ランプの一端に設けられた口金と係合するランプソケットにおいて、
上記口金に設けられた電極と接触して電気接続する電極接触部と、
上記直管形ランプが所定の方向に対して所定の角度以上傾いているとき、上記口金と当接して、上記電極と上記電極接触部とが接触するのを防ぐ斜め接触防止部とを有し、
上記電極は、上記直管形ランプの長手方向と略同一方向へ延びる腕部と、上記腕部の先端に設けられた先端部とを有し、
上記斜め接触防止部は、
上記電極を覆う覆い部と、
上記覆い部に設けられ、上記先端部が通らず上記腕部が通る大きさであり、上記電極と係合すると、上記電極が上記電極接触部に接触する係合穴と、
上記覆い部に設けられ、上記先端部及び上記腕部が通る大きさであり、上記係合穴と連続している挿入穴と、
上記直管形ランプが所定の方向に対して所定の角度以上傾いているとき、上記口金と当接して、上記先端部が上記挿入穴を通らないようにする口金当接部とを有することを特徴とするランプソケット。
【請求項２】
請求項１に記載のランプソケットと、
上記ランプソケットに係合した上記直管形ランプに対して電力を供給する電源装置と、
上記直管形ランプの他端に設けられた第二の口金と係合する第二のランプソケットとを有し、
上記斜め接触防止部は、上記第二のランプソケットに上記第二の口金が係合していないとき、上記電極と上記電極接触部とが接触するのを防ぐことを特徴とする照明器具。
【請求項３】
上記第二のランプソケットは、
上記第二の口金に設けられたアース電極と接触して電気接続するアース電極接触部と、
上記アース電極接触部に上記アース電極が接触したとき、上記第二の口金に押されて上記ランプソケットから遠ざかる方向へ移動可能な可動部とを有することを特徴とする請求項２に記載の照明器具。
【発明の詳細な説明】
【技術分野】
【０００１】
この発明は、直管形ランプを着脱自在に取り付けるランプソケットに関する。
【背景技術】
【０００２】
ランプソケットの構造には、例えば、ランプを回転させて取り付ける構造のものや、ランプをスライドさせて取り付ける構造のものがある。
直管形ランプの口金の形状は、例えば、ＪＥＬ（日本電球工業会規格）９０７に規定されている。例えば、ＪＥＬ９０７：２０１０追補３には、直流により点灯するＬＥＤなどの光源を有する直管形ランプの口金として、Ｇｘ１６ｔ−５Ａ型及びＧｘ１６ｔ−５Ｂ型が規定されている。Ｇｘ１６ｔ−５Ａ型の口金は、直管形ランプに対する給電を目的とする２つの電極を有する。また、Ｇｘ１６ｔ−５Ｂ型の口金は、直管形ランプの接地を目的とするアース電極を有する。一本の直管形ランプの一端にＧｘ１６ｔ−５Ａ型の口金を設け、他端にＧｘ１６ｔ−５Ｂ型の口金を設ける。
【先行技術文献】
【特許文献】
【０００３】
【特許文献１】特開平１１−３４５６６５号公報
【特許文献２】特開２００５−１０８５９４号公報
【特許文献３】特開２００５−４４７１８号公報
【発明の概要】
【発明が解決しようとする課題】
【０００４】
このように、一本の直管形ランプの両端に設けられた口金の形状が異なり、一方が給電用、他方が接地用である場合、口金をソケットに取り付ける順序が重要である。すなわち、給電用口金を先にソケットに取り付けると、直管形ランプが接地されていない状態で、直管形ランプに電力が供給され、直管形ランプを取り付けようとしている作業者が感電する可能性がある。
この発明は、例えば上記のような課題を解決するためになされたものであり、直管形ランプを取り付ける作業者が感電するのを防ぐことを目的とする。
【課題を解決するための手段】
【０００５】
この発明にかかるランプソケットは、直管形ランプの一端に設けられた口金と係合するランプソケットにおいて、上記口金に設けられた電極と接触して電気接続する電極接触部と、上記直管形ランプが所定の方向に対して所定の角度以上傾いているとき、上記口金と当接して、上記電極と上記電極接触部とが接触するのを防ぐ斜め接触防止部とを有することを特徴とする。
【発明の効果】
【０００６】
この発明にかかるランプソケットによれば、直管形ランプが傾いていると、電極が電極接触部と接触しないので、作業者が感電するのを防ぐことができる。
【図面の簡単な説明】
【０００７】
【図１】実施の形態１における照明器具８００の外観を示す斜視図。
【図２】実施の形態１における照明器具８００に取り付けられる直管形ランプ３００の外観を示す斜視図及び部分拡大斜視図。
【図３】実施の形態１におけるランプソケット１００及び防水キャップ４００の分解斜視図。
【図４】実施の形態１におけるランプソケット２００及び防水キャップ４００の分解斜視図。
【図５】実施の形態１における照明器具８００に直管形ランプ３００を取り付ける手順を示す図。
【図６】実施の形態１における照明器具８００に直管形ランプ３００を誤った手順で取り付けようとしている状態を示す図。
【図７】実施の形態１における照明器具８００に直管形ランプ３００を誤った手順で取り付けようとしている状態を示す拡大斜視図。
【図８】実施の形態２におけるランプソケット１００の外観を示す斜視図。
【図９】実施の形態３におけるランプソケット２００の構造を示す正視図及び断面図。
【図１０】実施の形態３におけるストッパー２３０の働きを示す図。
【図１１】実施の形態３におけるストッパー２３０の働きを示す図。
【発明を実施するための形態】
【０００８】
実施の形態１．
実施の形態１について、図１〜図７を用いて説明する。
【０００９】
図１は、この実施の形態における照明器具８００の外観を示す斜視図である。
照明器具８００は、防水機能を有する。照明器具８００は、例えば、照明器具本体８１０と、２つのランプソケット１００，２００と、２つの防水キャップ４００とを有する。
照明器具本体８１０は、例えば直方体形状であり、直管形ランプ３００に電力を供給する電源装置（図示せず）などを内蔵している。２つのランプソケット１００，２００は、着脱自在に直管形ランプ３００を固定する。ランプソケット１００（接地側ソケット）は、照明器具本体８１０の長手方向の一方の端に設けられている。ランプソケット２００（給電側ソケット）は、照明器具本体８１０の他方の端に設けられている。防水キャップ４００は、ランプソケット１００，２００と、直管形ランプ３００との係合部分を覆い、水の浸入を防ぐ。
【００１０】
図２は、この実施の形態における照明器具８００に取り付けられる直管形ランプ３００の外観を示す斜視図及び部分拡大斜視図である。
直管形ランプ３００は、例えば、ランプ本体３３０と、２つの口金３１０，３２０とを有する。
ランプ本体３３０は、略円柱形状であり、ＬＥＤなどの光源を内蔵する。
口金３１０（接地側口金）は、ＪＥＬ９０７：２０１０追補３に規定されたＧｘ１６ｔ−５Ｂ型のアース側口金である。口金３１０は、口金胴部３１１と、口金端部３１２と、電極３１３とを有する。口金胴部３１１は、ランプ本体３３０とほぼ同軸の円柱側面板状である。口金端部３１２（ランプ受け部）は、ほぼ円形板状であり、口金胴部３１１の底面をなす。電極３１３（接地ピン）は、口金端部３１２のほぼ中央に設けられている。電極３１３は、ランプ本体３３０の放熱フィンなどの金属部分と電気接続されている。電極３１３は、電極腕部３１５と、電極先端部３１４とを有する。電極腕部３１５（円柱部）は、ランプ本体３３０とほぼ同軸の略円柱形状である。電極先端部３１４（楕円部）は、電極腕部３１５の先端に設けられ、略長円板状である。電極先端部３１４の短径は、電極腕部３１５の直径より大きい。
口金３２０（給電側口金）は、ＪＥＬ９０７：２０１０追補３に規定されたＧｘ１６ｔ−５Ａ型の給電側口金である。口金３２０は、口金胴部３２１と、口金端部３２２と、凸部３２６と、２つの電極３２３とを有する。口金胴部３２１は、ランプ本体３３０とほぼ同軸の略円柱側面板状である。口金端部３２２（ランプ受け部）は、口金胴部３２１の底面をなす円板の一部であり、凸部３２６によりほぼ同一形状の二つの部分に分けられている。凸部３２６（ランプ引っ掛け部）は、口金端部３２２の底面をなす円板の直径を中心とする所定の幅の範囲が、口金端部３２２よりもランプ本体３３０の長手方向へ突出した形状である。凸部３２６の中心軸（口金端部３２２の底面の直径）は、電極先端部３１４の長径とほぼ平行である。２つの電極３２３（給電ピン）は、凸部３２６の中心に対して略対称に設けられている。それぞれの電極３２３は、電極腕部３２５と、凸部３２６とを有する。電極腕部３２５（軸部）は、略長方形板状であり、ランプ本体３３０の長手方向に伸びている。電極腕部３２５は、凸部３２６の中心軸に対してほぼ垂直である。電極先端部３２４（抜止め部）は、略長方形板状であり、電極腕部３２５の先端が外側へ向けてＬ字状に折れ曲がった形状である。電極先端部３２４は、ランプ本体３３０の軸に対してほぼ垂直である。
【００１１】
図３は、この実施の形態におけるランプソケット１００及び防水キャップ４００の分解斜視図である。
ランプソケット１００（第二のランプソケット）は、例えば、ソケット本体１１０と、ランプ受け部１２０と、接地金具１５０と、防水ゴム１９０とを有する。
ソケット本体１１０は、ネジ筒部１１３と、脚部１１２とを有する。ネジ筒部１１３は、外側にネジ形状が形成された略円筒板状である。脚部１１２は、ソケット本体１１０を照明器具本体８１０に固定するための部分であり、取付板挿入部１１１を有する。取付板挿入部１１１は、照明器具本体８１０と係合して、ソケット本体１１０を照明器具本体８１０に固定する。ランプ受け部１２０（可動部）は、ネジ筒部１１３の内側に、ネジ筒部１１３の軸方向にほぼ平行な方向に移動可能に設けられている。ランプ受け部１２０は、略円板状であり、ピン挿入孔１２４を有する。ピン挿入孔１２４は、ランプ受け部１２０のほぼ中央に設けられた略長円状の貫通穴であり、口金３１０の電極先端部３１４が挿通可能である。接地金具１５０（アース電力接触部）は、板バネなど弾性と導電性とを有する材料で形成されている。接地金具１５０は、ランプ受け部１２０と当接し、ランプ受け部１２０の軸方向への移動に対して応力を発揮する。また、接地金具１５０は、ピン挿入孔１２４に挿通された電極先端部３１４と接触して電気接続する。接地金具１５０は、例えば速結端子構造を有し、電線（図示せず）と電気接続している。防水ゴム１９０は、接地金具１５０に接続した電線が貫通していて、ソケット本体１１０に設けられた電線挿入孔（図示せず）に係合し、ネジ筒部１１３のなかに水が浸入するのを防ぐ。接地金具１５０に接続した電線は、電線挿入孔を通ってネジ筒部１１３の外に引き出され、例えば照明器具本体８１０にネジ止めされるなどして、接地されている。
防水キャップ４００は、例えば、防水キャップ本体４４０と、防水リング４２０と、防水パッキン４３０とを有する。防水キャップ本体４４０は、内側にネジ筒部１１３と螺合するネジ形状を有する。防水キャップ本体４４０、防水リング４２０及び防水パッキン４３０のなかに直管形ランプ３００の端を通し、防水キャップ本体４４０をネジ筒部１１３と螺合させると、防水キャップ本体４４０とソケット本体１１０との間に、防水リング４２０及び防水パッキン４３０が挟まれることにより、直管形ランプ３００及びネジ筒部１１３と、防水リング４２０及び防水パッキン４３０とが密着し、水の浸入を防ぐ。
【００１２】
図４は、この実施の形態におけるランプソケット２００及び防水キャップ４００の分解斜視図である。
防水キャップ４００は、ランプソケット１００側と同様である。
ランプソケット２００は、例えば、ソケット本体２１０と、ランプ受け部２２０と、２つの給電金具２５０と、２つの防水ゴム２９０とを有する。
ソケット本体２１０は、ネジ筒部２１３と、脚部２１２とを有する。ネジ筒部２１３は、外側にネジ形状が形成された略円筒形状である。脚部２１２は、ソケット本体２１０を照明器具本体８１０に固定するための部分であり、取付板挿入部２１１を有する。取付板挿入部２１１は、照明器具本体８１０と係合して、ソケット本体２１０を照明器具本体８１０に固定する。ランプ受け部２２０は、ネジ筒部２１３の内側に設けられている。ランプ受け部２２０（覆い部）は、略円板状であり、２つのピン溝２２５と、２つのピン挿入孔２２４と、ランプ保持部２２６とを有する。２つのピン溝２２５（係合穴）は、ランプ受け部２２０のほぼ中央に、横方向に並んで設けられた略長方形上の貫通穴である。ピン溝２２５は、幅が狭いため、口金３２０の電極腕部３２５は挿通可能であるが、電極先端部３２４は挿通できない。したがって、ピン挿入孔２２４に電極３２３を直接挿入したり、ピン挿入孔２２４から電極３２３を直接抜き出したりすることはできない。それぞれのピン挿入孔２２４（ピン仮挿入部、挿入穴）は、ピン溝２２５に対して照明器具本体８１０に近い側に連続して設けられた貫通穴である。ピン挿入孔２２４は、ピン溝２２５よりも幅が広く、電極腕部３２５及び電極先端部３２４が挿通可能である。直管形ランプ３００の取付時には、２つの電極先端部３２４をそれぞれピン挿入孔２２４に挿入し、口金３２０をスライドさせて、ピン溝２２５に電極腕部３２５を係合させる。逆に、直管形ランプ３００の取外し時には、口金３２０をスライドさせてから、電極先端部３２４をピン挿入孔２２４から抜き出す。ランプ保持部２２６は、ピン溝２２５に電極腕部３２５が係合したときに凸部３２６を支えるために設けられた凸部である。ランプ保持部２２６は、直管形ランプ３００を取り付けやすいよう、ピン溝２２５の延長線上に空隙があり、３つに分かれている。ランプ保持部２２６の空隙は、電極先端部３２４が通る幅を有する。
２つの給電金具２５０（電極接触部）は、導電性を有する材料で形成されている。それぞれの給電金具２５０は、ピン溝２２５に係合した電極３２３と接触して電気接続する。給電金具２５０が電極３２３と接触する部分は、電極先端部３２４に電極先端部３２４を挿入しただけでは電極３２３と接触せず、口金３２０をスライドさせてピン溝２２５に電極３２３が係合してはじめて電極３２３と接触する。給電金具２５０が電極３２３と接触する部分は、例えば、電極３２３がスライドしてくる方向に開いた断面ハ字形状であり、ガイドの役割を果たす。それぞれの給電金具２５０は、例えば速結端子構造を有し、異なる電線（図示せず）と電気接続している。２つの防水ゴム２９０は、それぞれ、接地金具１５０に接続した電線が貫通していて、ソケット本体２１０に設けられた電線挿入孔（図示せず）に係合し、ネジ筒部２１３のなかに水が浸入するのを防ぐ。給電金具２５０に接続した電線は、電線挿入孔を通ってネジ筒部２１３の外に引き出され、電源装置（電源出力部）に接続している。
【００１３】
図５は、この実施の形態における照明器具８００に直管形ランプ３００を取り付ける手順を示す図である。
２つのランプソケット１００，２００の間隔は、直管形ランプ３００の長さよりも短い。
作業者は、まず、直管形ランプ３００の口金３１０を、ランプソケット１００のランプ受け部１２０に押し当てて、ランプ受け部１２０を押し込む。このとき、電極３２３がピン挿入孔１２４に正しく係合していないと、口金３１０の口金端部３１２が、ソケット本体１１０のネジ筒部１１３に当たって、ランプ受け部１２０を押し込むことができない。このため、電極３２３と接地金具１５０とが面で接触し確実に電気接続する。
次に、作業者は、口金３２０を持ち上げて、ランプ受け部２２０のランプ保持部２２６に設けられた空隙に、電極３２３を通す。ランプ受け部１２０が十分に押し込まれていないと、電極３２３がランプ受け部２２０に当たり、ランプ保持部２２６の空隙を通らない。
電極３２３がピン挿入孔２２４の位置まで来たら、作業者は、ランプ受け部１２０を押し込んでいた力を緩め、電極先端部３２４をピン挿入孔２２４に挿入する。ランプ受け部１２０は、接地金具１５０の弾性により移動して、電極３１３に接触したままの状態を保つ。
作業者が口金３２０を下方向へスライドさせると、ピン溝２２５に電極３２３が係合し、電極３２３と給電金具２５０とが接触して電気接続する。
【００１４】
このような手順で直管形ランプ３００を取り付けることにより、まず、電極３１３が接地金具１５０と接触して接地され、その後、電極３２３が給電金具２５０と接触して電力が供給されるため、作業者が誤って感電するのを防ぐことができる。
【００１５】
直管形ランプ３００を取り外す場合には、この手順の逆の手順で作業する。このため、電極３２３が給電金具２５０から離れて電力の供給が停止してから、電極３１３が接地金具１５０から離れる。これにより、作業者が誤って感電するのを防ぐことができる。
【００１６】
図６は、この実施の形態における照明器具８００に直管形ランプ３００を誤った手順で取り付けようとしている状態を示す図である。
作業者が、口金３１０をランプソケット１００に係合させず、先に口金３２０をランプソケット２００に係合させようとした場合、２つのランプソケット１００，２００の間隔が直管形ランプ３００の長さよりも短いので、この図に示したように、口金３１０がソケット本体１１０から完全に外れた状態にしなければならない。したがって、直管形ランプ３００は、正しい取り付け手順による場合と比べて、斜めに大きく傾いた状態になる。
【００１７】
図７は、この実施の形態における照明器具８００に直管形ランプ３００を誤った手順で取り付けようとしている状態を示す拡大斜視図である。
このように、直管形ランプ３００が斜めに大きく傾いた状態だと、ランプ保持部２２６に、凸部３２６や口金端部３２２が当たるので、電極３２３を下方向へスライドさせられる位置まで、電極先端部３２４をピン挿入孔２２４に挿入することはできない。
【００１８】
このように、電極３１３が接地金具１５０と接触していない状態では、電極３２３が給電金具２５０と接触しないので、作業者が誤って感電するのを防ぐことができる。
【００１９】
なお、照明器具８００は、防水機能を有さない構成であってもよい。
【００２０】
実施の形態２．
実施の形態２について、図８を用いて説明する。
なお、実施の形態１と共通する部分については、同一の符号を付し、説明を省略する。
【００２１】
図８は、この実施の形態におけるランプソケット１００の外観を示す斜視図である。
ランプソケット１００は、取付け部１６０を有する。取付け部１６０は、接地金具１５０の一部である。取付け部１６０は、脚部１１２の背面に設けられた穴からランプソケット１００の外部に露出している。取付け部１６０は、例えばネジ穴などを有し、照明器具本体８１０に直接固定される。これにより、接地金具１５０が照明器具本体８１０に電気接続する。接地金具１５０の接地がより確実なものとなるので、作業者が誤って感電するのを防ぐことができる。
【００２２】
なお、取付け部１６０は、取付板挿入部１１１と同じ高さに位置することが望ましい。そうすれば、取付板挿入部１１１に挿入する板金などに、取付け部１６０を直接ネジ止めすることができる。
【００２３】
実施の形態３．
実施の形態３について、図９〜図１１を用いて説明する。
【００２４】
図９は、この実施の形態におけるランプソケット２００の構造を示す正視図及び断面図である。
ランプソケット２００は、ソケット本体２１０と、ストッパー２３０と、２つの給電金具２５０とを有する。ソケット本体２１０は、ランプ受け部２２０と、２つの軸受け部２１４とを有する。ランプ受け部２２０（覆い部）は、ソケット本体２１０の一方の面に設けられた略長円形状の凹部である。軸受け部２１４は、ソケット本体２１０の内側、ランプ受け部２２０よりも照明器具本体８１０に近い位置に設けられている。ランプ受け部２２０は、ピン挿入孔２２４と、ピン溝２２５と、ランプ保持部２２６（口金当接部）と、ボタン露出穴２２７とを有する。ボタン露出穴２２７は、ランプ受け部２２０の上寄り中央に設けられた貫通穴である。ストッパー２３０（斜め接触防止部）は、直管形ランプ３００が斜めに傾いているとき、口金３２０の電極３２３が給電金具２５０に接触するのを防ぐ。ストッパー２３０は、当接部２３１と、２つの軸部２３２と、保護部２３３と、枠部２３４とを有する。当接部２３１は、ボタン露出穴２２７からソケット本体２１０の外部に露出していて、口金３２０の口金端部３２２に当接する。２つの軸部２３２は、ストッパー２３０の回転軸であり、軸受け部２１４に係合している。保護部２３３は、横方向に延びる棒状である。保護部２３３は、給電金具２５０の上に設けられ、ピン挿入孔２２４に挿入された電極３２３が給電金具２５０に接触するのを防ぐ。枠部２３４は、当接部２３１と、軸部２３２と、保護部２３３とを繋いでいる。
直管形ランプ３００の口金３２０が当接部２３１に当接して、当接部２３１が押されると、ストッパー２３０は、軸部２３２を軸として回転する。保護部２３３が給電金具２５０の上から移動して、口金３２０の電極３２３が給電金具２５０に接触できるようになる。
【００２５】
図１０は、この実施の形態におけるストッパー２３０の働きを示す図である。
直管形ランプ３００を照明器具８００に取り付ける正しい手順は、実施の形態１で説明したものと同様である。すなわち、最初に、口金３１０をランプソケット１００に係合させて、口金３１０を押し込む。次に、電極３２３をピン挿入孔２２４に挿入する。当接部２３１の先端は、ランプ保持部２２６よりも、例えば約１ｍｍ程度出っ張っている。したがって、口金端部３２２がランプ保持部２２６に当接するより前に、口金端部３２２が当接部２３１に当接して、当接部２３１を押し込む。これにより、ストッパー２３０全体が軸部２３２を軸に回転し、保護部２３３が給電金具２５０の上からランプソケット２００の奥へ移動する。例えば、保護部２３３と軸部２３２との間の距離が、当接部２３１と軸部２３２との間の距離の５倍であれば、当接部２３１が１ｍｍ押されると、保護部２３３は、その５倍の５ｍｍ移動する。これにより、電極３２３をスライドさせてピン溝２２５に係合させることができるようになり、電極３２３が給電金具２５０に接触して電気接続する。
【００２６】
図１１は、この実施の形態におけるストッパー２３０の働きを示す図である。
直管形ランプ３００を誤った手順で照明器具８００に取り付けようとした場合、すなわち、口金３１０をランプソケット１００に係合させずに、口金３２０をランプソケット２００に係合させようとした場合、直管形ランプ３００は、斜めに傾いた状態になる。ランプソケット１００，２００の間隔が直管形ランプ３００の長さより短いので、口金３１０をランプソケット１００の外側に当接させると、直管形ランプ３００の傾きが最も小さくなる。例えば、直管形ランプ３００の長さが約１２００ｍｍであり、口金３１０の中心が正しい位置から４０ｍｍずれているとすると、直管形ランプ３００の傾きは、約２度である。直管形ランプ３００が斜めに傾いているので、口金端部３２２の上側は、下側よりも手前の位置になる。例えば、口金３２０の直径が２６ｍｍ、直管形ランプ３００の傾きが２度であれば、口金端部３２２の上側は、下側よりも約１ｍｍ手前に位置する。口金端部３２２の下側がランプ保持部２２６に当接すると、口金３２０をそれ以上押し込むことができない。したがって、当接部２３１の先端がランプ保持部２２６よりも約１ｍｍ程度出っ張っていても、当接部２３１は押されず、したがって、保護部２３３は移動しない。このため、電極３２３をスライドさせてピン溝２２５に係合させることはできず、電極３２３は給電金具２５０に接触しない。
【００２７】
このように、ストッパー２３０を設けることにより、直管形ランプ３００の長さが長く、そのため、誤った手順で直管形ランプ３００を取り付けようとした場合における直管形ランプ３００の傾きが小さい場合でも、電極３２３が給電金具２５０に接触するのを防止することができ、これにより、作業者が誤って感電するのを防ぐことができる。
【００２８】
なお、照明器具８００は、防水機能を有する構成であってもよい。
【００２９】
以上、各実施の形態で説明した構成は、一例であり、他の構成であってもよい。例えば、異なる実施の形態で説明した構成を組み合わせた構成としてもよいし、重要でない部分の構成を、他の構成で置き換えた構成であってもよい。
【符号の説明】
【００３０】
１００，２００  ランプソケット、１１０，２１０  ソケット本体、１１１，２１１  取付板挿入部、１１２，２１２  脚部、１１３，２１３  ネジ筒部、２１４  軸受け部、１２０，２２０  ランプ受け部、１２４，２２４  ピン挿入孔、１５０  接地金具、１６０  取付け部、１９０，２９０  防水ゴム、２２５  ピン溝、２２６  ランプ保持部、２２７  ボタン露出穴、２２８  内筒部、２３０  ストッパー、２３１  当接部、２３２  軸部、２３３  保護部、２３４  枠部、２５０  給電金具、３００  直管形ランプ、３１０，３２０  口金、３１１，３２１  口金胴部、３１２，３２２  口金端部、３１３，３２３  電極、３１４，３２４  電極先端部、３１５，３２５  電極腕部、３２６  凸部、３３０  ランプ本体、４００  防水キャップ、４２０  防水リング、４３０  防水パッキン、４４０  防水キャップ本体、８００  照明器具、８１０  照明器具本体。
【図１】
0005705011.tif 000002
【図２】
0005705011.tif 000003
【図３】
0005705011.tif 000004
【図４】
0005705011.tif 000005
【図５】
0005705011.tif 000006
【図６】
0005705011.tif 000007
【図７】
0005705011.tif 000008
【図８】
0005705011.tif 000009
【図９】
0005705011.tif 000010
【図１０】
0005705011.tif 000011
【図１１】
0005705011.tif 000012